(57)【要約】【課題】発光物質による電極間の短絡の発生を良好に抑制することができる画像投写装置を提供する。【解決手段】電源ボタンがユーザーにより押され（Ｓ１）たら、光源に出力する出力波形を、電源ボタンが押される前に比べて、第二電極などの開口側の電極が陽極となっている時間が、陰極となっている時間よりも長くなる電力停止前出力波形に変更する（Ｓ３）。そして、所定の時間内に再度、電源ボタンが押されたら（Ｓ４のＹｅｓ）、光源を消灯し、プロジェクタをＯＦＦにする（Ｓ５）。【選択図】図９
2017211585.tif 000002
【特許請求の範囲】
【請求項１】
発光物質が封入され、一対の電極が対向配置された発光部と、開口を有し、前記発光部から放射された光を前記開口に向けて反射するリフレクタとを備えた光源からの光を用いて画像を投写する画像投写装置において、
少なくとも、前記光源への電力供給を停止する前に、前記光源を点灯させるために前記光源に出力する電気的な出力波形を、一対の電極のうち前記リフレクタの開口側に配置された開口側の電極が陽極となっている時間が、陰極となっている時間よりも長くなる出力波形にすることを特徴とする画像投写装置。
【請求項２】
請求項１に記載の画像投写装置において、
少なくとも前記光源への電力供給を停止する前の前記出力波形を、前記開口側の電極が陽極となる直流波形としたことを特徴とする画像投写装置。
【請求項３】
請求項１または２に記載の画像投写装置において、
前記光源は、交流点灯方式であり、
前記光源への電力供給を停止する電力停止信号を受信した場合、前記出力波形を、前記光源への電力供給を停止する電力停止信号を受信する前に比べて、開口側の電極が陽極となっている時間が、陰極となっている時間よりも長くなる停止前出力波形に変更するように制御する制御部を備えたことを特徴とする画像投写装置。
【請求項４】
請求項３に記載の画像投写装置において、
操作者の操作によって当該装置のＯＮ／ＯＦＦが操作される電源操作部と、前記電源操作部がＯＦＦ操作されたとき、前記制御部へ前記電力供給停止信号を発信する発信部とを備え、
前記制御部は、一回目の電力供給停止信号を受信した場合、前記出力波形を前記停止前出力波形に変更し、２回目の電力供給停止信号を受信した場合、前記光源への電力供給を停止することを特徴とする画像投写装置。
【請求項５】
請求項４に記載の画像投写装置において、
前記電源操作部が操作者によって一回目のＯＦＦ操作がなされたとき、もう一度前記電源操作部がＯＦＦ操作されると、装置がＯＦＦとなる旨を報知する報知部を備えたことを特徴とする画像投写装置。
【請求項６】
請求項４または５に記載の画像投写装置において、
前記制御部は、一回目の電力供給停止信号を受信してから規定の時間内に二回目の電力供給停止信号を受信しなかった場合は、前記光源への出力波形を、停止前出力波形から通常の出力波形に戻すことを特徴とする画像投写装置。
【請求項７】
請求項１乃至６いずれかに記載の画像投写装置において、
前記発光物質は、水銀を含むことを特徴とする画像投写装置。
【発明の詳細な説明】
【技術分野】
【０００１】
本発明は画像投写装置に関するものである。
【背景技術】
【０００２】
光源からの光を用いて生成した投写画像を投写面に投写する画像投写装置において、光源として高圧水銀ランプを用いたものが知られている。高圧水銀ランプは、発光物質たる水銀が高圧で封入され、一対の電極が対向配置された発光部を備えた放電管と、開口を有し、発光部で発した光を開口に向けて反射するリフレクタとを有している。
【０００３】
特許文献１には、上記画像投写装置であって、画像投写装置の電源ボタン操作などにより画像投写装置が電力停止操作を受けたとき、高圧水銀ランプに供給する電力を増加させる制御を行った後、高圧水銀ランプへの電力供給を停止するものが記載されている。高圧水源ランプに供給する電力を増加させることで、一対の電極の温度が上昇し、発光部と一対の電極との温度差を広げることができる。これにより、消灯後に一対の電極が、発光部の内壁よりも先に水銀の沸点温度以下に低下するのを抑制することができる。よって、気化した水銀は、主に発光部の内壁で液化して内壁に付着し、一対の電極に付着するのを抑制することができる。その結果、電極に水銀が付着し、水銀により電極間が繋がれる水銀ブリッジが発生するのを抑制できると記載されている。
【発明の概要】
【発明が解決しようとする課題】
【０００４】
しかしながら、高圧水銀ランプへの電力を停止する前に、高圧水源ランプに供給する電力を増加させても、水銀ブリッジを良好に抑制できないという課題があった。
【０００５】
なお、上記課題は、高圧水銀ランプに限られず、一対の電極間の放電により発光部に封入された発光物質が発光するものであって、消灯後に発光物質が電極に付着して短絡が起こり得る光源を用いた場合は、同様な課題が発生する。
【課題を解決するための手段】
【０００６】
上記課題を解決するために、本発明は、発光物質が封入され、一対の電極が対向配置された発光部と、開口を有し、前記発光部から放射された光を前記開口に向けて反射するリフレクタとを備えた光源からの光を用いて画像を投写する画像投写装置において、少なくとも、前記光源への電力供給を停止する前に、前記光源を点灯させるために前記光源に出力する電気的な出力波形を、一対の電極のうち前記リフレクタの開口側に配置された開口側の電極が陽極となっている時間が、陰極となっている時間よりも長くなる出力波形にすることを特徴とするものである。
【発明の効果】
【０００７】
本発明によれば、発光物質による電極間の短絡の発生を良好に抑制することができる。
【図面の簡単な説明】
【０００８】
【図１】実施形態におけるプロジェクタを例示する斜視図。
【図２】実施形態における光学エンジンを例示する斜視図。
【図３】光源と、照明光学系ユニットと、画像表示ユニットと、投写レンズとを例示する斜視図。
【図４】実施形態における投写光学系ユニットの内部構成を例示する図。
【図５】実施形態における光源を例示する概略断面図。
【図６】実施形態におけるプロジェクタの断面斜視図。
【図７】実施形態におけるプロジェクタの制御ブロック図。
【図８】光源を点灯駆動するときに光源へ出力する出力波形の一例を示す図。
【図９】光源消灯制御のフローチャート。
【図１０】電力停止前出力波形の一例を示す図。
【図１１】電力停止前出力波形の他の例を示す図。
【発明を実施するための形態】
【０００９】
以下、図面を参照して発明を実施するための形態について説明する。各図面において、同一構成部分には同一符号を付し、重複した説明を省略する場合がある。
【００１０】
［画像投写装置の構成］
図１は、実施形態におけるプロジェクタ１を例示する斜視図である。
【００１１】
プロジェクタ１は、画像投写装置の一例であり、出射窓３、外部Ｉ／Ｆ９を有し、投写画像を生成する光学エンジンが内部に設けられている。プロジェクタ１は、例えば外部Ｉ／Ｆ９に接続されるパソコンやデジタルカメラからの入力画像データが送信されると、光学エンジンが送信された画像データに基づいて投写画像を生成し、図１に示されるように出射窓３からスクリーンＳに画像を投写する。また、出射窓３を有するプロジェクタ１の上壁面には、ユーザーが操作するための操作部１２０が設けられている。操作部１２０は、ユーザーの操作によりプロジェクタの電源をＯＮ／ＯＦＦする電源ボタン１２０ａを有している。
【００１２】
なお、以下に示す図面において、Ｘ１Ｘ２方向はプロジェクタ１の幅方向、Ｙ１Ｙ２方向はプロジェクタ１の奥行き方向、Ｚ１Ｚ２方向はプロジェクタ１の高さ方向である。また、以下では、プロジェクタ１の出射窓３側を上、出射窓３とは反対側を下として説明する場合がある。
【００１３】
［光学エンジンの構成］
次に、プロジェクタ１の光学エンジン１５の各部の構成について説明する。
【００１４】
図２は、実施形態における光学エンジン１５を例示する斜視図である。光学エンジン１５は、図２に示されるように、光源３０、照明光学系ユニット４０、画像表示ユニット５０、投写光学系ユニット６０を有し、プロジェクタ１の内部に設けられている。
【００１５】
光源３０は、照明光学系ユニット４０の側面に設けられ、Ｘ２方向に光を照射する。光源３０は、光源ホルダ６４と光源ブラケット６２とにより保持されている。照明光学系ユニット４０は、光源３０から照射された光を、下部に設けられている画像表示ユニット５０に導く。画像表示ユニット５０は、照明光学系ユニット４０によって導かれた光を用いて投写画像を生成する。投写光学系ユニット６０は、照明光学系ユニット４０の上部に設けられ、画像表示ユニット５０によって生成された投写画像をプロジェクタ１の外部に投写する。
【００１６】
なお、本実施形態に係る光学エンジン１５は、光源３０から照射される光を用いて上方に画像を投写するように構成されているが、水平方向に画像を投写するような構成であってもよい。
【００１７】
［照明光学系ユニット］
図３は、光源３０と、照明光学系ユニット４０と、画像表示ユニット５０と、投写レンズ６０１とを例示する斜視図である。
【００１８】
図３に示されるように、照明光学系ユニット４０は、カラーホイール４０１、ライトトンネル４０２、リレーレンズ４０３，４０４、シリンダミラー４０５、曲面ミラー４０６を有する。
【００１９】
カラーホイール４０１は、例えば周方向の異なる部分にシアン、白、赤、黄、緑、青の各色のフィルタが設けられている円盤である。カラーホイール４０１は、高速回転することで、光源３０から照射される光を、各色に時分割する。
【００２０】
ライトトンネル４０２は、例えば板ガラス等の貼り合わせによって四角筒状に形成されている。ライトトンネル４０２は、カラーホイール４０１を透過した各色の光を、内面で多重反射することで輝度分布を均一化してリレーレンズ４０３，４０４に導く。
【００２１】
リレーレンズ４０３，４０４は、ライトトンネル４０２から出射された光の軸上色収差を補正しつつ集光する。
【００２２】
シリンダミラー４０５及び曲面ミラー４０６は、リレーレンズ４０３，４０４から出射された光を、画像表示ユニット５０に設けられている光変調素子５０２に反射する。光変調素子５０２は、曲面ミラー４０６からの反射光を変調して投写画像を生成する。
【００２３】
ライトトンネル４０２、リレーレンズ４０３，４０４、シリンダミラー４０５及び曲面ミラー４０６は、照明ブラケット４０７に保持されている。また、この照明ブラケット４０７には、画像表示ユニット５０および、レンズホルダ６０４を介して投写レンズ６０１が取り付けられている。
【００２４】
［投写光学系ユニット］
図４は、実施形態における投写光学系ユニット６０の内部構成を例示する図である。
【００２５】
図４に示されるように、投写光学系ユニット６０は、投写レンズ６０１、折り返しミラー６０２、曲面ミラー６０３がケースの内部に設けられている。
【００２６】
投写レンズ６０１は、複数のレンズを有し、画像表示ユニット５０の光変調素子５０２によって生成された投写画像を、折り返しミラー６０２に結像させる。折り返しミラー６０２及び曲面ミラー６０３は、結像された投写画像を拡大するように反射して、プロジェクタ１の外部のスクリーンＳ等に投写する。
【００２７】
図５は、実施形態における光源３０を例示する概略断面図である。
本実施形態では、光源３０として高圧水銀ランプを用いている。光源３０としての高圧水銀ランプは、内部に発光物質としての水銀を高圧で封入した球状の発光部３１ａを有する放電管３１を備えている。放電管３１内には、図中左右方向に延びる第一電極３２と第二電極３３とが配置されている。放電管中央部に設けられた発光部３１ａ内で、第一電極３２の一端が、第二電極３３の一端と対向するように配置されており、各電極３２、３３の他端は、導電線３５を介して後述する光源制御部１０３（図７参照）に接続されている。また、光源３０は、開口部３４ａを有し、発光部３１ａを囲むように設けた略円錐形状のリフレクタ３４を有している。発光部３１ａから発光した光は、リフレクタ３４によりリフレクタ３４の開口部３４ａに向けて反射される。
【００２８】
一対の電極間に高い電界が形成されると、発光部３１ａ内でアーク放電が形成され、発光部３１ａ内が温度上昇し、発光部３１ａに高圧で封入されている水銀が蒸発する。第一電極３２または第二電極３３から放出された電子が蒸発した水銀に衝突する。アーク放電と、電子と水銀との衝突との相互作用により輝線スペクトル、連続スペクトルが発生し発光する。発光部３１ａで発生した光は、リフレクタ３４により開口部３４ａに向けて反射され、開口部３４ａ側で一点に集光される。
【００２９】
次に、光源３０の冷却について説明する。
図６は、実施形態におけるプロジェクタ１の断面斜視図である。
図６に示すように、放電管３１の発光部３１ａへ冷却用の空気（冷却風）を送って、放電管３１を空冷する冷却手段としての光源ファン７１が設けられている。
【００３０】
光源ファン７１により発生した冷却風は、光源３０を収納する光源ハウジング７０に設けられたダクト７０ｃを通じて、リフレクタ３４により囲まれた空間へ送り込まれ、放電管３１の発光部３１ａを冷却する。発光部３１ａを冷却した空気は、光源ホルダ６４に設けられた排気口６４ｃから排気される。
【００３１】
光源ファン７１は、遠心式の送風機であるシロッコファンであるが、軸流式の送風機を採用してもよい。ただし、本実施形態においては、ダクト７０ｃを介して光源３０のリフレクタ内へ冷却風を送り込むため、光源ファン７１としてシロッコファンを採用するのが好ましい。これは、シロッコファンを採用することにより、ダクト７０ｃ内での抵抗があっても発光部３１ａへ強い冷却風を送り込むことが可能となるためである。
【００３２】
図７は、実施形態におけるプロジェクタ１の制御ブロック図である。
図７に示すように、電源コード１０５から電力が供給される電源部１０４を有している。電源部１０４は、電源コード１０５から供給された交流電圧を直流電圧に変換するなどして、メイン制御部１０１などに所定の電圧を供給する。また、光源３０に電力を供給して光源を点灯させる光源制御部１０３を備えている。本実施形態においては、交流駆動により光源を点灯している。具体的には、電圧を印加する電極を交互に切り替え、図８に示すように、電極間に流れる電流波形を矩形状の交流波形としている。図８においては、第一電極３２から第二電極３３への電流の流れをマイナス、第二電極３３から第一電極３２への電流の流れをプラスとしている。
【００３３】
メイン制御部１０１は、演算手段たるＣＰＵ（Ｃｅｎｔｒａｌ  Ｐｒｏｃｅｓｓｉｎｇ  Ｕｎｉｔ）、記憶手段たるＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などを有しており、プロジェクタ全体の制御を司る。メイン制御部１０１には、様々な構成機器が通信可能に電気的に接続されている。メイン制御部１０１は、光源ファン７１や、カラーホイール４０１が接続されており、光源ファン７１やカラーホイールの回転を制御する。また、メイン制御部１０１は、パソコンやビデオカメラ等の外部機器を介して入力された画像データに基づいて変調信号を生成し、光変調素子制御部１０２へ出力する。また、メイン制御部１０１は、カラーホイール４０１による色分離のタイミングと光変調素子５０２による光変調のタイミングとが同期するよう、光変調素子制御部１０２を制御する。光変調素子５０２は、光変調素子制御部１０２により駆動制御される。
【００３４】
また、メイン制御部１０１には、操作部１２０の電源ボタン１２０ａからの操作信号が入力される。プロジェクタ１の電源がＯＦＦのときは、電源ボタン１２０ａからの操作信号を受信すると、光源制御部１０３に電力供給開始信号を送信する。光源制御部１０３は、メイン制御部から電力供給開始信号を受信したら、先の図８に示した交流波形を一対の電極に出力して光源３０を点灯させる。また、プロジェクタ１の電源がＯＮのときは、電源ボタン１２０ａからの操作信号に基づいて、光源制御部１０３に電力供給停止信号を送信する。光源制御部１０３は、メイン制御部１０１から電力供給停止信号を受信したら、光源３０への電力供給を停止し、光源３０を消灯する。
【００３５】
光源３０が消灯すると、発光部３１ａ内の温度が低下し、発光部内の水銀が気体から液体へと戻る。具体的に、気化した水銀は、水銀の沸点以下に低下した部材に接触することで、沸点以下に冷やされ、液化しその部材に付着する。通常、消灯時は、発光部３１ａの内壁の方が、第一電極３２や第二電極３３よりも低温であるが、電極は、ガラスからなる発光部３１ａよりも熱伝導性の高い金属からなるため、熱を逃がしやすい。従って、環境などによっては、電極の方が発光部３１ａの内壁よりも早く水銀の沸点以下に低下し、電極に水銀が付着する場合がある。特に、リフレクタの開口部３４ａ側に配置される第二電極３３は、第一電極３２よりも温度が低下しやすい。これは、第一電極３２は、リフレクタ３４の底部側に配置されており、リフレクタ３４の底部側は、発光部３１ａから放熱された熱が篭りやすい。よって、第一電極３２からの放熱が抑えられ、第一電極３２の温度低下が抑えられる。一方、リフレクタ開口部側は、熱が逃げやすいため、開口部側の第二電極３３の周囲は、第一電極３２の周囲よりも低温になっている。そのため、第二電極３３が第一電極３２よりも放熱して、第一電極３２よりも温度低下が早い。その結果、第二電極３３が、発光部３１ａの内壁よりも速く水銀の沸点温度以下に低下し、第二電極３３に水銀が付着してしまう。そして、この第二電極３３に付着した液体の水銀により、第一電極３２と第二電極３３とが電気的に接続され、電極間をショートさせる水銀ブリッジが発生するおそれがある。
【００３６】
本実施形態においては、図８に示すように、交流で光源３０を点灯しており、電極間を流れる電流向きを一定の周期で変更している。一対の電極のうち、電子が収集される（電流を流す）陽極の方が、電子を放出する（電流が流れ込む）陰極に比べて温度が高くなる。これは、陽極においては、電子を収集する際に電子が衝突するため、この電子の衝突により加熱されるからである。交流で光源３０を駆動する場合は、陽極と陰極とが交互に切り替わるため、第二電極３３が、第一電極３２とほほ同じ温度となる。その結果、光源消灯後に、第二電極３３が、発光部３１ａの内壁よりも早く水銀の沸点温度に低下し、第二電極３３で水銀が液化し、水銀ブリッジが発生してしまうおそれがある。
【００３７】
そこで、本実施形態では、光源３０を消灯する前に、第二電極３３を第一電極３２よりも温度が高くなるように、光源３０に出力する出力波形を変更するようにした。以下に図面を用いて具体的に説明する。
【００３８】
図９は、光源消灯制御のフローチャートである。
電源ボタン１２０ａ（図１参照）が、ユーザーにより押される（Ｓ１）と、メイン制御部１０１にボタン操作信号が送信される。メイン制御部１０１は、ボタン操作信号を受信したら、光変調素子制御部１０２を制御して、スクリーンＳに電源オフ確認画面を表示させる（Ｓ２）。また、メイン制御部１０１は、ボタン操作信号を受信したら、光源制御部１０３に電力供給停止信号を送信する。光源制御部１０３は、１回目の電極供給停止信号を受信したら、光源に出力する出力波形を、電力停止前出力波形に変更する（Ｓ３）。
【００３９】
図１０は、電力停止前出力波形の一例を示す図である。
この図１０においても、第一電極３２から第二電極３３への電流の流れをマイナス、第二電極３３から第一電極３２への電流の流れをプラスとしている。
１回目の電極供給停止信号を受信したら、光源制御部１０３は、図１０に示すように、第二電極３３が陽極となる時間（電流が第二電極から第一電極へ流れる時間）が長くなるように、光源３０に出力する出力波形を変更する。図１０は、電流の波形であるが、電圧の波形で言えば、第二電極に正の電圧が印加される時間を長くするのである。これにより、第二電極３３が、第一電極３２よりも加熱され、第一電極３２よりも温度を高くすることができる。
【００４０】
図１１は、電力停止前出力波形の他の例を示す図である。
図１１に示すように、電力停止前出力波形を、直流波形とし、第二電極３３を常に陽極となるようにしてもよい。このようにしても、第二電極３３が第一電極３２よりも加熱され、第一電極３２よりも温度を高くすることができる。
【００４１】
また、メイン制御部１０１は、電源ボタン１２０ａからボタン操作信号を受信したら、カウントを開始し、所定の時間（例えば、１０秒）内に再度、電源ボタン１２０ａが押されボタン操作信号を受信したか否かをチェックする（Ｓ４）。スクリーンＳに表示される電源オフ確認画面には、ＯＫの場合は、もう一度電源ボタン１２０ａを押すことを指示する旨も表示されている。ユーザーが電源オフ確認画面の指示に基づいて、所定の時間内に再度、電源ボタンを押すと（Ｓ４のＹＥＳ）、メイン制御部１０１に、再度、ボタン操作信号が送信される。メイン制御部１０１は上記所定の時間内にボタン操作信号を受信したら、電源ＯＦＦ制御を実行する（Ｓ５）。具体的には、カラーホイール４０１や光源ファン７１、光変調素子５０２などの駆動を停止する。また、光源制御部１０３に再度、電極供給停止信号を送信する。光源制御部１０３は、２回目の電極供給停止信号を受信したら、光源３０への電力供給を停止し、光源３０が消灯する。
【００４２】
光源が消灯したときは、第二電極３３の方が、第一電極３２の温度より高くなっている。これにより、消灯後、第二電極３３の温度低下が第一電極３２よりも早くても、発光部３１ａの内壁よりも早く水銀の沸点温度にまで第二電極３３の温度が低下するのを抑制することができる。その結果、気化した水銀は、主に発光部３１ａの内壁で液化して発光部３１ａの内壁に付着する。よって、第二電極３３に水銀が付着するのを抑制することができ、水銀ブリッジの発生を抑制することができる。
【００４３】
さらには、電力停止前出力波形を先の図１０や図１１にするとともに、電流値や電圧値を上げて、光源に供給する電力を増加させてもよい。これにより、第二電極３３の温度をさらに上昇させることができるとともに、第一電極３２の温度も上昇させることができる。これにより、一対の電極に水銀が付着するのをより一層抑制することができ、水銀ブリッジが発生するのを良好に抑制することができる。
【００４４】
また、光源ファン７１について、光源消灯後所定時間駆動してから、光源ファン７１の駆動を停止してもよい。これにより、発光部３１ａの内壁を空冷でき、確実に一対の電極よりも早く発光部３１ａの内壁を水銀の沸点温度にまで低下させることができる。これにより、水銀ブリッジの発生を良好に抑制することができる。
【００４５】
また、一回目の電源ボタン１２０ａからボタン操作信号を受信したら、メイン制御部１０１は、光源ファン７１の回転数を上げて、発光部３１ａを冷却する冷却能力を高めるようにしてもよい。これにより、第二電極３３の温度が上昇する一方で、発光部３１ａの温度を低下させることができる。これにより、第二電極３３と発光部３１ａとの温度差を広げることができ、消灯後、確実に発光部３１ａの内壁を、一対の電極よりも早く水銀の沸点温度にまで低下させることができる。これにより、水銀ブリッジの発生を良好に抑制することができる。
【００４６】
また、光源制御部１０３は、２回目の電極供給停止信号を受信後に、一定時間（例えば、１０秒）電力停止前出力波形で光源３０を点灯したのち、光源３０への電力を停止してもよい。こうすることで、第二電極３３の温度を確実に第一電極３２の温度よりも高くさせることができ、水銀ブリッジの発生を良好に抑制することができる。また、この場合、２回電源ボタンを押したにも係わらず、光源３０が所定時間点灯し続けるため、ユーザーによっては、装置が故障しているのではと疑問にもつおそれがある。従って、２回目の電源ボタンを押した後、後何秒で電源が切れる等の情報や、終了処理中などをスクリーンＳに表示したり、音声により報知したりするのが好ましい。
【００４７】
一方、一定時間内に電源ボタン１２０ａが押されなかったとき（Ｓ４のＮｏ）は、スクリーンＳに表示される電源オフ確認画面を非表示にし（Ｓ６）、光源制御部１０３は、先の図８に示した通常の出力波形に戻す（Ｓ７）。
【００４８】
光源としての高圧水銀ランプは、通常、発光部３１ａの温度が下がって放電開始が可能な状態になるまで始動しない。通常、消灯してから、再点灯するまでの時間である再始動時間として、数分間を要する。従って、誤って電源ボタンを押してしまい、光源が消灯してしまうと、数分間待たないと、画像の投写を再開できないおそれがある。しかし、本実施形態では、２回の電源ボタン１２０ａの操作によりプロジェクタの電源がＯＦＦとなる構成とすることで、誤って電源ボタン１２０ａを押してしまっても、装置の電源がＯＦＦとなることがなく、光源が消灯してしまうことがない。
もちろん、一回目の電源ボタンの操作で、電源ＯＦＦ制御が実行されるようにしてもよい。この場合は、一定時間（例えば、１０秒）電力停止前出力波形で光源３０を点灯したのち、光源３０への電力を停止する。
【００４９】
また、上記では、光源３０への電力供給を停止する前に、出力波形を先の図１０や図１１に変更しているが、常に、先の図１０や図１１に示す出力波形を光源３０に出力してもよい。かかる構成としても、第二電極３３の温度を高くすることができ、消灯後に第二電極３３が発光部３１ａの内壁よりも早く水銀の沸点温度以下に低下するのを抑制することができる。これにより、水銀ブリッジの発生を抑制することができる。
【００５０】
以上に説明したものは一例であり、以下の態様毎に特有の効果を奏する。
（態様１）
水銀などの発光物質が封入され、一対の電極が対向配置された発光部３１ａと、開口を有し、前記発光部３１ａから放射された光を前記開口に向けて反射するリフレクタ３４とを備えた光源３０からの光を用いて画像を投写する画像投写装置において、少なくとも、前記光源３０への電力供給を停止する前に、前記光源３０を点灯させるために前記光源３０に出力する電気的な出力波形を、一対の電極のうち前記リフレクタの開口側に配置された開口側の電極が陽極となっている時間が、陰極となっている時間よりも長くなる出力波形にする。
本出願人は、光源３０への電力供給停止前に光源３０に供給する電力を増加させても、水銀ブリッジなどの発光物質による電極間の短絡を良好に抑制できない理由について鋭意研究した。その結果、一対の電極のうち、リフレクタ３４の開口側の電極に水銀などの発光物質が付着して発光物質による短絡が発生していることがわかったのである。
リフレクタ開口側の電極に水銀などの発光物質が付着する理由は、以下のように考えられる。すなわち、発光部３１ａからの放射熱は、リフレクタ３４の閉じられた側に篭りやすいため、一対の電極のうち、リフレクタの閉じられた側に配置された電極は温度低下し難い。一方、リフレクタの開口側は、熱が逃げやすいため、リフレクタの開口側の雰囲気温度は、リフレクタ３４の閉じた側の雰囲気温度よりも低い。そのため、リフレクタ３４の開口側の電極は熱が逃げやすく温度低下しやすい。そのため、光源３０への電力停止前に、光源３０に供給する電力を増加させて、第二電極３３などの開口側の電極を第一電極などの他の電極と同様に温度上昇させても、消灯後、開口側の電極においては、発光部３１ａの内壁よりも早く発光物質の沸点温度にまで低下し、開口側の電極に発光物質が付着し、発光物質による短絡が発生したと考えられる。
そこで、態様１では、少なくとも前記光源３０への電力供給を停止する前は、一対の電極のうち前記リフレクタの開口側に配置された開口側の電極が陽極となっている時間を、陰極となっている時間よりも長くしている。
一対の電極のうち、電子を収集する陽極の方が、電子を放出する陰極よりも温度が高くなる。これは、電子を収集する際に電子が陽極に衝突することで陽極が加熱されるためである。よって、開口側の電極が陽極となっている時間を長くすることにより、開口側の電極が、他の電極よりも加熱され、開口側の電極の温度を、他の電極よりも高くすることができ、消灯時において、開口側の電極と発光部の内壁との温度差を十分に広げることができる。その結果、消灯後に開口側の電極が発光部の内壁よりも早く発光物質の沸点温度にまで低下するのを抑制することができ、発光物質が開口側の電極に付着するのを抑制することができる。これにより、発光物質による短絡が生じるのを良好に抑制することができる。
【００５１】
（態様２）
（態様１）において、少なくとも前記光源３０への電力供給を停止する前の前記出力波形を、第二電極３３などの開口側の電極が陽極となる直流波形とした。
これによれば、図１１を用いて説明したように、第一電極３２などのリフレクタ３４の閉じられた側の電極よりも、第二電極３３などの開口側の電極が加熱され、開口側の電極の温度を閉じた側の電極よりも高くすることができる。これにより、開口側の電極が発光部３１ａの内壁よりも早く水銀などの発光物質の沸点温度に低下するのを抑制することができ、開口側の電極に発光物質が付着するのを抑制することができる。
【００５２】
（態様３）
（態様１）または（態様２）において、前記光源３０は、交流点灯方式であり、前記光源３０への電力供給を停止する電力停止信号を受信した場合、前記出力波形を、前記光源への電力供給を停止する電力停止信号を受信する前に比べて、開口側の電極が陽極となっている時間が、陰極となっている時間よりも長くなる停止前出力波形に変更するように制御する光源制御部１０３などの制御部を備えた。
これによれば、実施形態で説明したように、第二電極３３などの開口側の電極を、第一電極３２などの他の電極よりも温度を高くして、光源を消灯することができる。これにより、開口側の電極が、発光部３１ａの内壁よりも早く水銀などの発光物質の沸点温度以下に低下するのを抑制することができ、開口側の電極に発光物質が付着するのを抑制することができる。
【００５３】
（態様４）
態様３において、ユーザーなどの操作者の操作によって当該装置のＯＮ／ＯＦＦが操作される電源ボタン１２０ａなどの電源操作部と、前記電源操作部がＯＦＦ操作されたとき、光源制御部１０３などの制御部へ前記供給停止信号を発信するメイン制御部１０１などの発信部とを備え、前記制御部は、一回目の電力供給停止信号を受信した場合、前記出力波形を前記停止前出力波形に変更し、２回目の電力供給停止信号を受信した場合、前記光源への電力供給を停止する。
これによれば、実施形態で説明したように誤って電源ボタン１２０ａなどの電源操作部がＯＦＦ操作されても、光源への電力供給が停止することがない。また、２回目の電力供給停止信号を受信するまでの間、第二電極などの開口側の電極を加熱することができ、開口側の電極の温度を高めることができる。
【００５４】
（態様５）
態様４において、電源ボタン１２０ａなどの電源操作部がユーザーなどの操作者によって一回目のＯＦＦ操作がなされたとき、もう一度前記電源操作部がＯＦＦ操作されると、装置がＯＦＦとなる旨を報知する報知部（本実施形態では、メイン制御部１０１、光変調素子制御部１０２、光変調素子５０２などで構成）を備えた。
これによれば、２回目のＯＦＦ操作を、操作者がし忘れるのを抑制することができる。
【００５５】
（態様６）
態様４または５において、光源制御部１０３などの制御部は、一回目の電力供給停止信号を受信してから規定の時間内に二回目の電力供給停止信号を受信しなかった場合は、光源３０への出力波形を、停止前出力波形から通常の出力波形に戻す。
これによれば、ユーザーなどの操作者が、誤って電源ボタン１２０ａなどの前記電源操作部をＯＦＦ操作した場合に、自動で通常の出力波形に戻すことができる。
【００５６】
（態様７）
態様１乃至６いずれかにおいて、前記発光物質は、水銀を含む。
これによれば、水銀ブリッジを抑制することができ、点灯不良が発生するのを抑制することができる。
【符号の説明】
【００５７】
１：プロジェクタ
３０：光源
３１：放電管
３１ａ：発光部
３２：第一電極
３３：第二電極
３４：リフレクタ
３４ａ：開口部
３５：導電線
６２：光源ブラケット
６４：光源ホルダ
６４ｃ：排気口
７０：光源ハウジング
７０ｃ：ダクト
７１：光源ファン
１０１：メイン制御部
１０２：光変調素子制御部
１０３：光源制御部
１０４：電源部
１０５：電源ケーブル
１２０：操作部
１２０ａ：電源ボタン
５０２：光変調素子
Ｓ：スクリーン
【先行技術文献】
【特許文献】
【００５８】
【特許文献１】特開２０１４−８１５４７号公報
【図１】
2017211585.tif 000003
【図２】
2017211585.tif 000004
【図３】
2017211585.tif 000005
【図４】
2017211585.tif 000006
【図５】
2017211585.tif 000007
【図６】
2017211585.tif 000008
【図７】
2017211585.tif 000009
【図８】
2017211585.tif 000010
【図９】
2017211585.tif 000011
【図１０】
2017211585.tif 000012
【図１１】
2017211585.tif 000013